(57)【要約】【課題】定着部に対する搬送方向の直下流に配置された部材に連続記録媒体が吸着されずに接触する構成に比べ、定着部において加熱された連続記録媒体の伸縮を抑制する。【解決手段】定着装置は、予め定められた搬送方向へ搬送される連続記録媒体に画像を加熱により定着する定着部と、前記定着部に対する前記搬送方向の直下流で、前記連続記録媒体を静電力により自らに吸着させる吸着部と、を備える。【選択図】図４
2019200255.tif 000002
【特許請求の範囲】
【請求項１】
予め定められた搬送方向へ搬送される連続記録媒体に画像を加熱により定着する定着部と、
前記定着部に対する前記搬送方向の直下流で、前記連続記録媒体を静電力により自らに吸着させる吸着部と、
を備える定着装置。
【請求項２】
前記吸着部は、前記連続記録媒体の非画像面を自らに吸着させる請求項１に記載の定着装置。
【請求項３】
前記吸着部は、電圧が印加される請求項１又は２に記載の定着装置。
【請求項４】
前記吸着部は、前記連続記録媒体に画像が転写される際に印加される転写電圧の電圧値よりも絶対値が小さい電圧値の電圧が印加される請求項３に記載の定着装置。
【請求項５】
前記吸着部は、抵抗体を介して接地されている請求項１又は２に記載の定着装置。
【請求項６】
前記吸着部は、搬送される連続記録媒体に対して速度差を有して回転駆動する請求項１又は２に記載の定着装置。
【請求項７】
前記吸着部は、前記連続記録媒体との摩擦により帯電する請求項１又は２に記載の定着装置。
【請求項８】
前記吸着部は、前記連続記録媒体を冷却する冷却機構を有している請求項１〜７のいずれか１項に記載の定着装置。
【請求項９】
前記吸着部としての第一吸着部と、
前記第一吸着部に対する前記搬送方向の直下流で、前記連続記録媒体における前記第一吸着部への吸着面とは反対側の面を静電力により自らに吸着させる第二吸着部と、
を備える請求項１〜８のいずれか１項に記載の定着装置。
【請求項１０】
前記第一吸着部と前記第二吸着部とは、互いに逆極性に帯電する請求項９に記載の定着装置。
【請求項１１】
前記第二吸着部は、前記連続記録媒体を冷却する冷却機構を有している請求項９又は１０に記載の定着装置。
【請求項１２】
前記連続記録媒体に搬送方向に沿って張力を付与した状態で該連続記録媒体を搬送する搬送部と、
前記搬送部に搬送され且つ画像が転写された前記連続記録媒体に対して該画像を定着する請求項１〜１１のいずれか１項に記載の定着装置と、
を備える画像形成装置。
【請求項１３】
転写電圧が印加され、前記画像を前記連続記録媒体に転写する転写部を備え、
前記定着装置は、前記転写部での画像の転写によって帯電された連続記録媒体の極性とは逆極性に帯電する前記吸着部を有する
請求項１２に記載の画像形成装置。
【発明の詳細な説明】
【技術分野】
【０００１】
本発明は、定着装置及び画像形成装置に関する。
【背景技術】
【０００２】
特許文献１には、トナー像が転写された転写材を加熱し前記トナー像を定着する定着装置において、該定着装置から前記転写材を排出する転写材搬送出口に電極を配し、電極に転写材を引き寄せて、定着ロールから転写材を剥離する構成が開示されている。
【先行技術文献】
【特許文献】
【０００３】
【特許文献１】特開２００６−５８４９３号公報
【発明の概要】
【発明が解決しようとする課題】
【０００４】
ここで、予め定められた搬送方向へ搬送される連続紙等の連続記録媒体が、定着部において加熱されて軟化すると、当該連続記録媒体が伸長したり、収縮したりする場合、すなわち、当該連続記録媒体が伸縮する場合がある。
【０００５】
本発明は、定着部に対する搬送方向の直下流に配置された部材に連続記録媒体が吸着されずに接触する構成に比べ、定着部において加熱された連続記録媒体の伸縮を抑制することを目的とする。
【課題を解決するための手段】
【０００６】
請求項１の発明は、予め定められた搬送方向へ搬送される連続記録媒体に画像を加熱により定着する定着部と、前記定着部に対する前記搬送方向の直下流で、前記連続記録媒体を静電力により自らに吸着させる吸着部と、を備える。
【０００７】
請求項２の発明は、前記吸着部は、前記連続記録媒体の非画像面を自らに吸着させる。
【０００８】
請求項３の発明は、前記吸着部は、電圧が印加される。
【０００９】
請求項４の発明は、前記吸着部は、前記連続記録媒体に画像が転写される際に印加される転写電圧の電圧値よりも絶対値が小さい電圧値の電圧が印加される。
【００１０】
請求項５の発明は、前記吸着部は、抵抗体を介して接地されている。
【００１１】
請求項６の発明は、前記吸着部は、搬送される連続記録媒体に対して速度差を有して回転駆動する。
【００１２】
請求項７の発明は、前記吸着部は、前記連続記録媒体との摩擦により帯電する。
【００１３】
請求項８の発明は、前記吸着部は、前記連続記録媒体を冷却する冷却機構を有している。
【００１４】
請求項９の発明は、前記吸着部としての第一吸着部と、前記第一吸着部に対する前記搬送方向の直下流で、前記連続記録媒体における前記第一吸着部への吸着面とは反対側の面を静電力により自らに吸着させる第二吸着部と、を備える。
【００１５】
請求項１０の発明は、前記第一吸着部と前記第二吸着部とは、互いに逆極性に帯電する。
【００１６】
請求項１１の発明は、前記第二吸着部は、前記連続記録媒体を冷却する冷却機構を有している。
【００１７】
請求項１２の発明は、前記連続記録媒体に搬送方向に沿って張力を付与した状態で該連続記録媒体を搬送する搬送部と、前記搬送部に搬送され且つ画像が転写された前記連続記録媒体に対して該画像を定着する請求項１〜１１のいずれか１項に記載の定着装置と、を備える。
【００１８】
請求項１３の発明は、転写電圧が印加され、前記画像を前記連続記録媒体に転写する転写部を備え、前記定着装置は、前記転写部での画像の転写によって帯電された連続記録媒体の極性とは逆極性に帯電する前記吸着部を有する。
【発明の効果】
【００１９】
本発明の請求項１の構成によれば、定着部に対する搬送方向の直下流に配置された部材に連続記録媒体が吸着されずに接触する構成に比べ、定着部において加熱された連続記録媒体の伸縮を抑制できる。
【００２０】
本発明の請求項２の構成によれば、吸着部が連続記録媒体の画像面を自らに吸着させる構成に比べ、画像よりも連続記録媒体を先に冷却することができる。
【００２１】
本発明の請求項３の構成によれば、吸着部を連続記録媒体との摩擦により帯電させなくても、連続記録媒体を吸着部に静電力により吸着させることができる。
【００２２】
本発明の請求項４の構成によれば、転写電圧の電圧値以上の絶対値を有する電圧値の電圧が印加される構成に比べ、連続記録媒体の吸着部への吸着不良を抑制できる。
【００２３】
本発明の請求項５の構成によれば、吸着部に電圧を印加しなくても、連続記録媒体を吸着部に静電力により吸着させることができる。
【００２４】
本発明の請求項６の構成によれば、吸着部に電圧を印加しなくても、連続記録媒体を吸着部に静電力により吸着させることができる。
【００２５】
本発明の請求項７の構成によれば、吸着部に電圧を印加しなくても、連続記録媒体を吸着部に静電力により吸着させることができる。
【００２６】
本発明の請求項８の構成によれば、吸着部が連続記録媒体を自然冷却する構成に比べ、連続記録媒体を短時間で冷却できる。
【００２７】
本発明の請求項９の構成によれば、連続記録媒体が第一吸着部のみに吸着される構成に比べ、定着部において加熱された連続記録媒体の伸縮を抑制できる。
【００２８】
本発明の請求項１０の構成によれば、表面と裏面とで極性が違う連続記録媒体を第一吸着部と第二吸着部に吸着させることができる。
【００２９】
本発明の請求項１１の構成によれば、第二吸着部が連続記録媒体を自然冷却する構成に比べ、連続記録媒体を短時間で冷却できる。
【００３０】
本発明の請求項１２の構成によれば、定着部に対する搬送方向の直下流に配置された部材に連続記録媒体が吸着されずに接触する構成に比べ、定着部において加熱された連続記録媒体の搬送方向への伸長を抑制できる。
【００３１】
本発明の請求項１３の構成によれば、転写部での画像の転写によって帯電された連続記録媒体を、吸着部が静電力により吸着できる。
【図面の簡単な説明】
【００３２】
【図１】本実施形態に係る画像形成装置を示す概略構成図である。
【図２】本実施形態に係る画像形成装置に用いられるトナー像形成部を示す概略構成図である。
【図３】本実施形態に係る転写部での連続記録媒体の帯電の様子を示す概略図である。
【図４】本実施形態に係る定着装置を示す概略構成図である。
【図５】定着装置の第一吸着部（第二吸着部）の冷却機構の一例を示す模式的な斜視図である。
【図６】比較例の定着装置において、連続記録媒体が用紙である場合に用紙上の定着前のトナー像を示す模式的な拡大断面図である。
【図７】比較例の定着装置において、連続記録媒体が用紙である場合に用紙上のトナー像を定着ロールにより定着する過程を示す模式的な拡大断面図である。
【図８】比較例の定着装置において、連続記録媒体が用紙である場合に用紙上のトナー像が定着された状態を示す模式的な拡大断面図である。
【図９】比較例の定着装置において、連続記録媒体が樹脂フィルムである場合に樹脂フィルム上のトナー像を定着ロールにより定着する状態を示す模式的な拡大断面図である。
【図１０】比較例の定着装置において、連続記録媒体が樹脂フィルムである場合に樹脂フィルム上のトナー像が定着された状態を示す模式的な拡大断面図である。
【図１１】変形例に係る画像形成装置を示す概略構成図である。
【発明を実施するための形態】
【００３３】
以下に、本発明に係る実施形態の一例を図面に基づいて説明する。なお、各図に示す矢印Ｈは鉛直方向であって装置上下方向を示し、矢印Ｗは、水平方向であって装置幅方向を示す。
【００３４】
＜画像形成装置１０＞
画像形成装置１０の構成について説明する。図１には、画像形成装置１０を正面側から見た構成が示されている。
【００３５】
図１に示される画像形成装置１０は、連続記録媒体に画像を形成する装置である。具体的には、画像形成装置１０は、図１に示されるように、予め搬送経路に配置された連続記録媒体Ｐを予め定められた搬送方向（図１の矢印Ｂ方向）へ搬送し、当該連続記録媒体Ｐに画像を形成する装置である。換言すれば、画像形成装置１０は、連続記録媒体Ｐを搬送する搬送装置ともいえる。以下、「連続記録媒体Ｐが搬送される搬送方向」を単に「搬送方向」という場合がある。
【００３６】
画像形成装置１０は、さらに具体的には、搬送部５０と、画像形成部１２と、定着装置６０と、制御部１００と、を有している。以下、画像形成装置１０の画像形成対象である連続記録媒体Ｐと、画像形成装置１０の各部（制御部１００、搬送部５０、画像形成部１２及び定着装置６０）と、について説明する。
【００３７】
（連続記録媒体Ｐ）
連続記録媒体Ｐは、予め定められた搬送方向へ搬送される連続記録媒体の一例である。この連続記録媒体Ｐは、搬送方向へ連続した記録媒体である。具体的には、連続記録媒体Ｐは、搬送方向へ連続した複数ページの画像形成が可能な記録媒体である。
【００３８】
連続記録媒体Ｐとしては、例えば、ＰＥＴ（ポリエチレンテレフタレート）やＰＰ（ポリプロピレン）等の樹脂材料で形成された樹脂フィルムが用いられる。
【００３９】
さらに、連続記録媒体Ｐは、予め搬送経路に配置された状態から搬送される記録媒体である。また、連続記録媒体Ｐは、搬送方向に沿って張力が付与された状態で搬送される記録媒体でもある。また、連続記録媒体Ｐは、加熱されると軟化して伸縮が可能となる記録媒体でもある。そして、連続記録媒体Ｐは、例えば、表面が、画像が形成される画像面２Ａ（図４参照）とされ、裏面が、画像が形成されない非画像面２Ｂ（図４参照）とされている。
【００４０】
なお、連続記録媒体Ｐとしては、樹脂フィルムに限られず、普通紙（植物繊維その他の繊維を膠着させて製造したもの）や、金属箔（例えばアルミ箔など）等であってもよく、連続記録媒体Ｐの材料は不問である。また、連続記録媒体Ｐとしては、樹脂フィルムと金属箔とが積層された記録媒体であってもよい。樹脂フィルムと金属箔とが積層された記録媒体としては、例えば、画像面２Ａ及び非画像面２Ｂの一方の面に金属箔を有し、他方の面に樹脂フィルムを有する記録媒体がある。
【００４１】
（制御部１００）
制御部１００は、搬送部５０、画像形成部１２及び定着装置６０を含む画像形成装置１０の各部の動作を制御する機能を有する部分である。制御部１００には、搬送部５０、画像形成部１２及び定着装置６０を含む画像形成装置１０の各部が接続されている。
【００４２】
（搬送部５０）
搬送部５０は、連続記録媒体に搬送方向に沿って張力を付与した状態で該連続記録媒体を搬送する搬送部の一例である。具体的には、搬送部５０は、図１に示されるように、巻出ロール５１と、巻取ロール５３と、駆動部５５と、巻掛ロール５２、５４、５６と、を有している。
【００４３】
巻出ロール５１は、連続記録媒体Ｐを巻き出すロールである。巻出ロール５１には、連続記録媒体Ｐの後端側部分（搬送方向の上流側部分）が予め巻き付けられている。巻出ロール５１は、一方向（図１の矢印Ｃ方向）へ回転することで、巻き付けられた連続記録媒体Ｐを、後述の転写部３５（二次転写位置ＮＴ）へ向けて巻き出す。換言すれば、巻出ロール５１は、後述の転写部３５（二次転写位置ＮＴ）へ向けて連続記録媒体Ｐを供給する供給部として機能する。
【００４４】
巻掛ロール５２、５４、５６は、連続記録媒体Ｐが巻き掛けられるロールである。具体的には、巻掛ロール５２、５４、５６は、巻出ロール５１と後述の転写部３５（二次転写位置ＮＴ）との間で連続記録媒体Ｐに巻き掛けられている。これにより、巻出ロール５１から後述の転写部３５までの連続記録媒体Ｐの搬送経路が定められている。
【００４５】
巻取ロール５３は、連続記録媒体Ｐを巻き取るロールである。巻取ロール５３には、連続記録媒体Ｐの先端側部分（搬送方向の下流側部分）が巻き掛けられている。この巻取ロール５３は、駆動部５５によって、一方向（図１の矢印Ｄ方向）へ回転駆動される。これにより、巻取ロール５３が連続記録媒体Ｐを巻き取る。換言すれば、巻取ロール５３は、後述の転写部３５（二次転写位置ＮＴ）から連続記録媒体Ｐを回収する回収部として機能する。
【００４６】
そして、巻取ロール５３が連続記録媒体Ｐを巻き取ることで、連続記録媒体Ｐが引っ張られて、巻出ロール５１が連続記録媒体Ｐを巻き出す。このように、駆動部５５の回転駆動によって、巻取ロール５３が連続記録媒体Ｐを巻き取ると共に、巻出ロール５１が連続記録媒体Ｐを巻き出すことで、連続記録媒体Ｐは張力が付与された状態で、搬送方向（図１の矢印Ｂ方向）に搬送される。
【００４７】
（画像形成部１２）
画像形成部１２は、電子写真方式により連続記録媒体Ｐに画像を形成する機能を有する部分である。具体的には、画像形成部１２は、トナー像を形成するトナー像形成部２０と、トナー像形成部２０で形成されたトナー像を連続記録媒体Ｐに転写する転写装置３０と、を有している。
【００４８】
トナー像形成部２０は、色ごとにトナー像を形成するように複数備えられている。この実施形態では、イエロー（Ｙ）、マゼンタ（Ｍ）、シアン（Ｃ）、ブラック（Ｋ）の計４色のトナー像形成部２０が設けられている。図１に示す（Ｙ）、（Ｍ）、（Ｃ）、（Ｋ）は、上記各色に対応する構成部分を示している。なお、画像形成装置１０では、イエロー（Ｙ）、マゼンタ（Ｍ）、シアン（Ｃ）、ブラック（Ｋ）を区別する必要がある場合は、各部材の符号の後にＹ、Ｍ、Ｃ、Ｋを付し、各色を区別する必要がない場合は、Ｙ、Ｍ、Ｃ、Ｋを省略する場合がある。
【００４９】
〔トナー像形成部２０〕
各色のトナー像形成部２０は、用いるトナーを除き基本的に同様に構成されている。具体的には、各色のトナー像形成部２０は、図２に示されるように、図２における時計周り方向に回転する感光体ドラム２１（感光体）と、感光体ドラム２１を帯電させる帯電器２２と、帯電器２２によって帯電された感光体ドラム２１を露光して感光体ドラム２１に静電潜像を形成する露光装置２３と、を有している。さらに、各色のトナー像形成部２０は、露光装置２３によって感光体ドラム２１に形成された静電潜像を現像してトナー像を形成する現像装置２４と、後述の転写ベルト３１へのトナー像の転写後に感光体ドラム２１の表面に残留したトナーを除去する除去体としてのブレード２５と、を有している。
【００５０】
帯電器２２は、例えば、感光体ドラム２１の表面（感光層）を負極性に帯電させる。負極性に帯電した感光体ドラム２１の表面は、露光装置２３によって露光光Ｌが照射された部分が正極性を呈し、感光体ドラム２１の表面に静電潜像が形成される。そして、現像装置２４内で負極性に摩擦帯電されたトナーが、正極性を呈する静電潜像に付着して静電潜像が現像される。このように、感光体ドラム２１の表面（外周面）にトナー像が形成される。ブレード２５は、感光体ドラム２１の表面に接触して、感光体ドラム２１の表面に残留したトナーを掻き取る。
【００５１】
〔転写装置３０〕
転写装置３０は、各色の感光体ドラム２１のトナー像を、中間転写体としての転写ベルト３１に重畳して一次転写し、該重畳されたトナー像を二次転写位置ＮＴ（ニップ部）で連続記録媒体Ｐに二次転写する。具体的には、転写装置３０は、図１に示されるように、転写ベルト３１と、一次転写ロール３３と、転写部３５と、を備えている。
【００５２】
［転写ベルト３１］
転写ベルト３１は、図１に示されるように、無端状を成し、複数のロール３２に巻き掛けられて姿勢が決められている。この実施形態では、転写ベルト３１は、正面視で装置幅方向に長い逆鈍角三角形状の姿勢とされている。複数のロール３２のうち、図１に示すロール３２Ｄは、図示しないモータの動力により転写ベルト３１を矢印Ａ方向に回転させる駆動ロールとして機能する。転写ベルト３１は、矢印Ａ方向に回転することで、一次転写された画像を二次転写位置ＮＴへ搬送する。
【００５３】
また、複数のロール３２のうち、図１に示すロール３２Ｔは、転写ベルト３１に張力を付与する張力付与ロールとして機能する。複数のロール３２のうち、図１に示すロール３２Ｂは、二次転写ロール３４の対向ロール３２Ｂとして機能する。対向ロール３２Ｂには、前述の通り逆鈍角三角形状の姿勢とされた転写ベルト３１の鈍角を成す下端側の頂部が巻き掛けられている。この転写ベルト３１は、前述した姿勢で装置幅方向に延びる上辺部において、各色の感光体ドラム２１に下方から接触している。
【００５４】
［一次転写ロール３３］
一次転写ロール３３は、各感光体ドラム２１のトナー像を転写ベルト３１に転写させるロールであり、図１に示されるように、転写ベルト３１の内側に配置されている。各一次転写ロール３３は、転写ベルト３１を挟んで対応する色の感光体ドラム２１に対して対向配置されている。また、一次転写ロール３３と感光体ドラム２１との間には、給電部３７（図２参照）によって、一次転写電圧が印加される。これにより、感光体ドラム２１に形成されたトナー像が、感光体ドラム２１と一次転写ロール３３との間の一次転写位置Ｔ（図２参照）で転写ベルト３１に転写される。
【００５５】
［転写部３５］
転写部３５は、転写電圧が印加され、画像を連続記録媒体に転写する転写部の一例である。具体的には、転写部３５は、転写電圧が印加され、トナー像を連続記録媒体Ｐに転写する機能を有している。さらに具体的には、転写部３５は、二次転写ロール３４と、前述の対向ロール３２Ｂと、印加部３９と、を有している。
【００５６】
二次転写ロール３４は、図１に示されるように、対向ロール３２Ｂとの間に転写ベルト３１を挟むように配置されており、二次転写ロール３４と転写ベルト３１とは予め定められた荷重にて接触している。このように接触している二次転写ロール３４と転写ベルト３１の間が二次転写位置ＮＴとされる。この二次転写位置ＮＴには、巻出ロール５１から連続記録媒体Ｐが供給されるようになっている。二次転写ロール３４は、図１における時計周り方向へ回転駆動される。
【００５７】
また、二次転写ロール３４と対向ロール３２Ｂとの間には、印加部３９によって、二次転写電圧が印加される。これにより、転写ベルト３１に転写されたトナー像と、二次転写位置ＮＴに搬送された連続記録媒体Ｐとの間に電位差が生じる。すなわち、二次転写位置ＮＴにおいて、連続記録媒体Ｐとトナー像との間に連続記録媒体Ｐの厚み方向に沿って電圧が印加される。これにより、転写ベルト３１に重畳された負極性のトナー像に対して静電力が作用し、二次転写位置ＮＴを通過する連続記録媒体Ｐに、転写ベルト３１からトナー像が転写される。
【００５８】
このように、転写部３５においてトナー像が連続記録媒体Ｐに転写されることで、図３に示されるように、連続記録媒体Ｐは、負極性のトナー像が転写される画像面２Ａが負極性に帯電され、非画像面２Ｂが正極性に帯電される。なお、図３では、構成をわかりやすくするため、転写ベルト３１と連続記録媒体Ｐとの間、連続記録媒体Ｐと二次転写ロール３４との間に隙間を設けて、模式的に図示している。
【００５９】
（定着装置６０）
定着装置６０は、画像を連続記録媒体に定着する定着装置の一例である。具体的には、定着装置６０は、搬送部に搬送され且つ画像が転写された連続記録媒体に対して該画像を定着する定着装置の一例である。
【００６０】
図１に示されるように、定着装置６０は、連続記録媒体Ｐの搬送方向における二次転写位置ＮＴの下流側に配置されている。この定着装置６０は、図４に示されるように、第一支持部５７と、定着部６１と、第一吸着部８２と、第二吸着部８４と、第二支持部１０２と、を有している。以下、定着装置６０の各部（第一支持部５７、定着部６１、第一吸着部８２、第二吸着部８４及び第二支持部１０２）について説明する。
【００６１】
〔第一支持部５７〕
図４に示される第一支持部５７は、連続記録媒体Ｐを支持する機能を有する部分である。具体的には、第一支持部５７は、二次転写位置ＮＴ（図１参照）と定着部６１との間で、連続記録媒体Ｐを支持する機能を有している。さらに具体的には、第一支持部５７は、図４に示されるように、支持ロール５８、５９を有している。
【００６２】
支持ロール５８、５９は、搬送方向の上流側からこの順で二次転写位置ＮＴと定着部６１との間に配置されている。支持ロール５８、５９は、外周面が連続記録媒体Ｐの非画像面２Ｂに接触することで、連続記録媒体Ｐを支持している。これにより、連続記録媒体Ｐは、二次転写位置ＮＴから定着部６１へ予め定められた搬送経路で搬送される。
【００６３】
また、支持ロール５８、５９は、連続記録媒体Ｐの移動に従動して回転する構成とされている。さらに、支持ロール５９は、図示しない移動機構により連続記録媒体Ｐの厚み方向（矢印Ｈ方向）に移動することで、連続記録媒体Ｐに張力を付与する構成とされている。
【００６４】
〔定着部６１〕
図４に示される定着部６１は、予め定められた搬送方向へ搬送される連続記録媒体に画像を加熱により定着する定着部の一例である。
【００６５】
具体的には、定着部６１は、連続記録媒体Ｐの非画像面２Ｂを加熱した後に、連続記録媒体Ｐの画像面２Ａ及び非画像面２Ｂを加圧及び加熱して、トナー像を連続記録媒体Ｐに定着する機能を有している。さらに具体的には、定着部６１は、図４に示されるように、第一加熱部６２と、第二加熱部６３と、を有している。
【００６６】
［第一加熱部６２］
図４に示される第一加熱部６２は、連続記録媒体Ｐの非画像面２Ｂを加熱する機能を有する部分である。この第一加熱部６２は、第二加熱部６３が連続記録媒体Ｐを加熱する前に、連続記録媒体Ｐの非画像面２Ｂの加熱を開始する。換言すれば、第一加熱部６２は、第二加熱部６３に対する搬送方向の上流側で、非画像面２Ｂの加熱を開始する。
【００６７】
具体的には、第一加熱部６２は、連続記録媒体Ｐの非画像面２Ｂを加熱する加熱ロールで構成されている。加熱ロールである第一加熱部６２は、外周面が連続記録媒体Ｐの非画像面２Ｂに接触している。具体的には、連続記録媒体Ｐの非画像面２Ｂが、予め定められた範囲で第一加熱部６２に巻き掛けられている。
【００６８】
第一加熱部６２は、一例として、円筒状のロール６２Ａと、ロール６２Ａの内部に配置された加熱源６２Ｂと、を備えている。ロール６２Ａは、連続記録媒体Ｐの移動に従動して回転する構成とされている。加熱源６２Ｂは、例えば、単一又は複数のハロゲンランプで構成されている。
【００６９】
第一加熱部６２の外周面と対向する位置（連続記録媒体Ｐが通過しない対向部）には、温度センサ６６が配置されている。制御部１００は、温度センサ６６で検出された温度に基づき、第一加熱部６２を予め定められた温度に制御している。
【００７０】
［第二加熱部６３］
第二加熱部６３は、連続記録媒体Ｐの画像面２Ａを加熱する機能を有する部分である。この第二加熱部６３は、第一加熱部６２が連続記録媒体Ｐの加熱を開始した後に、連続記録媒体Ｐの画像面２Ａを加熱する。
【００７１】
具体的には、第二加熱部６３は、加熱ロール６４と、外部加熱ロール７０と、清掃部７３と、を有している。加熱ロール６４は、連続記録媒体Ｐの画像面２Ａを加熱するロールである。加熱ロール６４は、具体的には、以下のように構成されている。
【００７２】
加熱ロール６４は、連続記録媒体Ｐの非画像面２Ｂに第一加熱部６２が接触する接触領域の下流側の位置で、連続記録媒体Ｐの画像面２Ａと接触している。すなわち、加熱ロール６４は、第一加熱部６２の連続記録媒体Ｐに対する接触領域における搬送方向中央より下流側に配置されている。具体的には、加熱ロール６４は、第一加熱部６２の連続記録媒体Ｐに対する接触領域の最下流の位置で、連続記録媒体Ｐの画像面２Ａと接触している。これにより、加熱ロール６４は、第一加熱部６２とで連続記録媒体Ｐを挟んで、連続記録媒体Ｐを加圧する。
【００７３】
加熱ロール６４は、一例として、表面側が弾性を有する材料で形成された円筒状のロール６４Ａと、ロール６４Ａの内部に配置された加熱源６４Ｂと、を備えている。ロール６４Ａは、例えば、表面がシリコーンゴム等で形成されたソフトロールとされている。また、ロール６４Ａは、連続記録媒体Ｐの移動に従動して回転する構成とされている。加熱源６４Ｂは、例えば、単一又は複数のハロゲンランプで構成されている。
【００７４】
加熱ロール６４の外周面と対向する位置（連続記録媒体Ｐが通過しない対向部）には、温度センサ６８が配置されている。制御部１００は、温度センサ６８で検出された温度に基づき、第一加熱部６２を予め定められた温度に制御している。
【００７５】
外部加熱ロール７０は、加熱ロール６４を加熱するロールである。外部加熱ロール７０は、具体的には、以下のように構成されている。
【００７６】
外部加熱ロール７０は、加熱ロール６４に対する第一加熱部６２とは反対側の位置に配置されている。外部加熱ロール７０は、一例として、金属により形成された円筒状のロール７０Ａと、ロール７０Ａの内部に配置されたハロゲンランプ等の加熱源７０Ｂと、を備えている。ロール７０Ａは、加熱ロール６４の回転に従動して回転する構成とされている。加熱源７０Ｂは、例えば、単一又は複数のハロゲンランプで構成されている。
【００７７】
外部加熱ロール７０の外周面と対向する位置には、温度センサ７２が配置されている。制御部１００は、温度センサ７２で検出された温度に基づき、外部加熱ロール７０を予め定められた温度に制御している。
【００７８】
清掃部７３は、加熱ロール６４を清掃する機能を有する部分である。清掃部７３は、具体的には、清掃ロール７４と、清掃ウェブ７６と、ロール７８と、を有している。
【００７９】
清掃ロール７４は、加熱ロール６４の外周面に接触した状態で回転し、加熱ロール６４の外周面の付着物を除去する。清掃ウェブ７６は、ロール７８によって清掃ロール７４の外周面に押し付けられている。清掃ウェブ７６は、清掃ロール７４の周方向に沿って新しい面が供給されるように移動し、清掃ロール７４を清掃する。
【００８０】
〔定着部６１の定着動作〕
定着部６１では、最初に、第一加熱部６２が連続記録媒体Ｐの非画像面２Ｂ側から連続記録媒体Ｐ及びトナー像Ｇ（図４参照）を加熱する。次に、第一加熱部６２の搬送方向下流側で、加熱ロール６４と第一加熱部６２が、連続記録媒体Ｐを挟んで連続記録媒体Ｐ及びトナー像Ｇ（図４参照）を加圧すると共に加熱する。これにより、連続記録媒体Ｐに形成されたトナー像Ｇを連続記録媒体Ｐに定着させる。図４では、連続記録媒体Ｐに形成されたトナー像Ｇの一部のみを図示している。
【００８１】
なお、定着部６１の出口、すなわち、連続記録媒体Ｐを介して接触する第一加熱部６２と加熱ロール６４との挟み部（接触部）の出口には、剥離部材が設けられていない。換言すれば、定着部６１の出口には、連続記録媒体Ｐに接触する接触部材（例えば、爪やバッフルなど）は設けられていない。
【００８２】
〔第一吸着部８２〕
図４に示される第一吸着部８２は、定着部に対する搬送方向の直下流で、連続記録媒体を静電力により自らに吸着させる吸着部（第一吸着部）の一例である。
【００８３】
なお、「定着部に対する搬送方向の直下流」とは、定着部に対する搬送方向の下流であって、定着部との間に連続記録媒体に接触する他の部材が存在しない位置をいう。定着部との間に他の部材が存在しなければ、定着部との距離は不問である。
【００８４】
第一吸着部８２は、定着部６１に対する搬送方向の直下流で、連続記録媒体Ｐの非画像面２Ｂを静電力により自らに吸着させる機能を有している。第一吸着部８２は、具体的には、連続記録媒体Ｐの非画像面２Ｂを自らに吸着させる吸着ロールで構成されている。第一吸着部８２は、さらに具体的には、以下のように構成されている。
【００８５】
第一吸着部８２は、金属等により形成された円筒状のロールで構成されている。第一吸着部８２は、外周面が連続記録媒体Ｐの非画像面２Ｂに接触している。具体的には、連続記録媒体Ｐの非画像面２Ｂが、予め定められた範囲で第一吸着部８２の外周面に巻き掛けられている。なお、連続記録媒体Ｐの第一吸着部８２に対する接触長さ（巻き掛け長さ）は、連続記録媒体Ｐの第一加熱部６２に対する接触長さ（巻き掛け長さ）よりも大きくされている。
【００８６】
換言すれば、第一吸着部８２による連続記録媒体Ｐの非画像面２Ｂの吸着時間（冷却時間）は、第一加熱部６２による連続記録媒体Ｐの非画像面２Ｂの加熱時間より長くされている。
【００８７】
第一吸着部８２には、第一吸着部８２に電圧を印加する印加部８３が設けられている。第一吸着部８２は、印加部８３によって電圧が印加されることで帯電して、静電力によって、自らの外周面に連続記録媒体Ｐの非画像面２Ｂを吸着させる。換言すれば、印加部８３が、電圧の印加によって、第一吸着部８２に連続記録媒体Ｐを吸着させる吸着手段と機能しているともいえる。
【００８８】
ここで、前述のように、転写部３５におけるトナー像の転写によって、連続記録媒体Ｐは帯電するので、本実施形態では、第一吸着部８２を印加部８３による電圧の印加によって、連続記録媒体Ｐの極性とは逆極性に帯電させる。
【００８９】
具体的には、転写部３５におけるトナー像の転写によって、連続記録媒体Ｐの非画像面２Ｂが正極性に帯電するので、本実施形態では、第一吸着部８２を負極性に帯電させる。さらに具体的には、例えば、印加部８３は、連続記録媒体Ｐを間において第二吸着部８４と対向する対向部材と、第二吸着部８４との間に電圧を印加して、第二吸着部８４を正極性に帯電させる。これにより、連続記録媒体Ｐの非画像面２Ｂを静電力によって第一吸着部８２に吸着させる。
【００９０】
また、第一吸着部８２は、転写部３５において連続記録媒体Ｐにトナー像が転写される際に印加される転写電圧の電圧値よりも絶対値が小さい電圧値の電圧が、印加部８３によって印加される。具体的には、転写部３５において印加される転写電圧が例えば、１０００Ｖ〜２０００Ｖの範囲（１０００Ｖ及び２０００Ｖを含む）とされているのに対して、第一吸着部８２へ印加される電圧は、例えば、−９００Ｖ〜−５００Ｖの範囲（−９００Ｖ及び−５００Ｖを含む）とされる。
【００９１】
第一吸着部８２は、連続記録媒体Ｐを冷却する冷却機構８１を有している。ここでの冷却は、連続記録媒体Ｐを積極的に冷却すること（強制冷却）をいい、当該冷却には、連続記録媒体Ｐに単に接触して冷却すること（自然冷却）が含まれない。
【００９２】
冷却機構８１は、具体的には、空冷（空気との熱交換）により連続記録媒体Ｐを冷却する機構である。さらに具体的には、冷却機構８１は、第一吸着部８２の内部から冷却する機構として、図５に示されるように、ダクト８１Ａと、ファン８１Ｂと、を有している。ダクト８１Ａは、円筒状に形成されている。ダクト８１Ａの軸方向一端部が、第一吸着部８２の軸方向一端部に接続されている。ファン８１Ｂは、ダクト８１Ａの軸方向他端部に設けられている。このファン８１Ｂの回転により、ダクト８１Ａを介して第一吸着部８２の内部に風を流すことで、第一吸着部８２に接触する連続記録媒体Ｐを非画像面２Ｂから冷却する構成とされている。
【００９３】
なお、図５では、第一吸着部８２の構成を分かりやすくするため、第一吸着部８２の軸方向の一部を切断した状態で模式的に示している。また、図示を省略するが、第一吸着部８２は、軸方向両側に延在される軸部を備えており、連続記録媒体Ｐの移動に従動して回転する構成とされている。
【００９４】
さらに、冷却機構８１は、第一吸着部８２の外部から冷却する機構として、図４に示されるように、複数（本実施形態では２つ）のファン９４を有している。複数のファン９４は、第一吸着部８２の連続記録媒体Ｐと接触しない領域と対向する位置に配置されている。複数のファン９４の回転により、第一吸着部８２の温度を下げることで第一吸着部８２が連続記録媒体Ｐ及びトナー像Ｇを冷却する構成とされている。以上のように、第一吸着部８２は、連続記録媒体Ｐの非画像面２Ｂに接触することで、非画像面２Ｂ側から連続記録媒体Ｐ及びトナー像Ｇを冷却する。
【００９５】
なお、冷却機構８１は、上記の構成に限定されるものではない。冷却機構８１としては、例えば、第一吸着部８２の内部から冷却する機構（ダクト８１Ａ及びファン８１Ｂ）と、第一吸着部８２の外部から冷却する機構（ファン９４）との一方のみを有する構成であってもよい。また、第一吸着部８２の内部から冷却する機構としては、例えば、第一吸着部８２の内部に水を通して連続記録媒体Ｐを非画像面２Ｂから冷却する機構（水冷）でもよい。
【００９６】
〔第二吸着部８４〕
図４に示される第二吸着部８４は、第一吸着部に対する搬送方向の直下流で、連続記録媒体における第一吸着部への吸着面とは反対側の面を静電力により自らに吸着させる第二吸着部の一例である。
【００９７】
なお、「第一吸着部に対する搬送方向の直下流」とは、第一吸着部に対する搬送方向の下流であって、第一吸着部との間に連続記録媒体に接触する他の部材が存在しない位置をいう。第一吸着部との間に他の部材が存在しなければ、第一吸着部との距離は不問である。
【００９８】
第二吸着部８４は、第一吸着部８２に対する搬送方向の直下流で、連続記録媒体Ｐにおける第一吸着部８２への吸着面とは反対側の面（具体的には、画像面２Ａ）を静電力により自らに吸着させる機能を有している。第二吸着部８４は、具体的には、連続記録媒体Ｐの画像面２Ａを自らに吸着させる吸着ロールで構成されている。第二吸着部８４は、さらに具体的には、以下のように構成されている。
【００９９】
第二吸着部８４は、金属等により形成された円筒状のロールで構成されている。第二吸着部８４は、外周面が連続記録媒体Ｐの画像面２Ａに接触している。具体的には、連続記録媒体Ｐの画像面２Ａが、予め定められた範囲で第二吸着部８４の外周面に巻き掛けられている。
【０１００】
なお、連続記録媒体Ｐの第二吸着部８４に対する接触長さ（巻き掛け長さ）は、連続記録媒体Ｐの第一吸着部８２に対する接触長さ（巻き掛け長さ）、及び、連続記録媒体Ｐの第一加熱部６２に対する接触長さ（巻き掛け長さ）よりも小さくされている。
【０１０１】
換言すれば、第二吸着部８４による連続記録媒体Ｐの画像面２Ａの吸着時間（冷却時間）は、第一吸着部８２による連続記録媒体Ｐの非画像面２Ｂの吸着時間（冷却時間）、及び、第一加熱部６２による連続記録媒体Ｐの非画像面２Ｂの加熱時間より短くされている。
【０１０２】
また、第二吸着部８４の外径は、第一吸着部８２の外径より小さい。さらに、本実施形態では、連続記録媒体Ｐの第二吸着部８４への巻き付け角度が、連続記録媒体Ｐの第一吸着部８２への巻き付け角度より大きい。
【０１０３】
第二吸着部８４には、第二吸着部８４に電圧を印加する印加部８５が設けられている。第二吸着部８４は、印加部８５によって電圧が印加されることで帯電して、静電力によって、自らの外周面に連続記録媒体Ｐの画像面２Ａを吸着させる。換言すれば、印加部８５が、電圧の印加によって、第二吸着部８４に連続記録媒体Ｐを吸着させる吸着手段と機能しているともいえる。
【０１０４】
ここで、前述のように、転写部３５におけるトナー像の転写によって、連続記録媒体Ｐは帯電するので、本実施形態では、第二吸着部８４を印加部８５による電圧の印加によって、連続記録媒体Ｐの極性とは逆極性に帯電させる。
【０１０５】
具体的には、転写部３５におけるトナー像の転写によって、連続記録媒体Ｐの画像面２Ａが負極性に帯電するので、本実施形態では、第二吸着部８４を正極性に帯電させる。さらに具体的には、例えば、印加部８５は、連続記録媒体Ｐを間において第二吸着部８４と対向する対向部材と、第二吸着部８４との間に電圧を印加して、第二吸着部８４を正極性に帯電させる。これにより、連続記録媒体Ｐの画像面２Ａを静電力によって第二吸着部８４に吸着させる。このように、第一吸着部８２と第二吸着部８４とは、互いに逆極性に帯電する。
【０１０６】
また、第二吸着部８４は、転写部３５において印加される転写電圧の電圧値よりも絶対値が小さい電圧値の電圧が、印加部８５によって印加される。具体的には、転写部３５において印加される転写電圧が例えば、１０００Ｖ〜２０００Ｖの範囲（１０００Ｖ及び２０００Ｖを含む）とされているのに対して、第二吸着部８４へ印加される電圧は、例えば、−９００Ｖ〜−５００Ｖの範囲（−９００Ｖ及び−５００Ｖを含む）とされる。
【０１０７】
第二吸着部８４は、連続記録媒体Ｐを冷却する冷却機構８７を有している。ここでの冷却は、連続記録媒体Ｐを積極的に冷却すること（強制冷却）をいい、当該冷却には、連続記録媒体Ｐに単に接触して冷却すること（自然冷却）が含まれない。
【０１０８】
冷却機構８７は、具体的には、空冷により連続記録媒体Ｐを冷却する機構である。さらに具体的には、冷却機構８７は、第二吸着部８４の内部から冷却する機構として、図５に示されるように、ダクト８７Ａと、ファン８７Ｂと、を有している。ダクト８７Ａは、円筒状に形成されている。ダクト８７Ａの軸方向一端部が、第二吸着部８４の軸方向一端部に接続されている。ファン８７Ｂは、ダクト８７Ａの軸方向他端部に設けられている。このファン８７Ｂの回転により、ダクト８７Ａを介して第二吸着部８４の内部に風を流すことで、第二吸着部８４に接触する連続記録媒体Ｐを画像面２Ａから冷却する構成とされている。
【０１０９】
なお、図５では、第二吸着部８４の構成を分かりやすくするため、第二吸着部８４の軸方向の一部を切断した状態で模式的に示している。また、図示を省略するが、第二吸着部８４は、軸方向両側に延在される軸部を備えており、連続記録媒体Ｐの移動に従動して回転する構成とされている。
【０１１０】
さらに、冷却機構８７は、第一吸着部８２の外部から冷却する機構として、図４に示されるように、ファン９５を有している。ファン９５は、第二吸着部８４の連続記録媒体Ｐと接触しない領域と対向する位置に配置されている。ファン９５の回転により、第二吸着部８４の温度を下げることで第二吸着部８４が連続記録媒体Ｐ及びトナー像Ｇを冷却する構成とされている。以上のように、第二吸着部８４は、第一吸着部８２に対する搬送方向の直下流で、連続記録媒体Ｐの画像面２Ａに接触することで、画像面２Ａ側から連続記録媒体Ｐ及びトナー像Ｇを冷却する。
【０１１１】
なお、冷却機構８７は、上記の構成に限定されるものではない。冷却機構８７としては、例えば、第二吸着部８４の内部から冷却する機構（ダクト８７Ａ及びファン８７Ｂ）と、第二吸着部８４の外部から冷却する機構（ファン９５）との一方のみを有する構成であってもよい。また、第二吸着部８４の内部から冷却する機構としては、例えば、第二吸着部８４の内部に水を通して連続記録媒体Ｐを非画像面２Ｂから冷却する機構（水冷）でもよい。
【０１１２】
〔第二支持部１０２〕
第二支持部１０２は、連続記録媒体Ｐを支持する機能を有する部分である。具体的には、第二支持部１０２は、第二吸着部８４と巻取ロール５３との間で、連続記録媒体Ｐを支持する機能を有している。さらに具体的には、第二支持部１０２は、支持ロール１０３、１０４、１０５を有している。
【０１１３】
支持ロール１０３は、第二吸着部８４の下方に配置されている。支持ロール１０３は、外周面が連続記録媒体Ｐの画像面２Ａに接触することで、連続記録媒体Ｐを支持している。そして、支持ロール１０３は、第二吸着部８４から下方へ搬送される連続記録媒体Ｐを水平方向（図４の右側）へ方向転換させる。
【０１１４】
支持ロール１０４は、支持ロール１０３の側方側（図４の右側）に配置されている。支持ロール１０４は、外周面が連続記録媒体Ｐの画像面２Ａに接触することで、連続記録媒体Ｐを支持している。そして、支持ロール１０４は、支持ロール１０３から水平方向（図４の右側）へ搬送される連続記録媒体Ｐを上方へ方向転換させる。
【０１１５】
支持ロール１０５は、支持ロール１０４の上方側に配置されている。支持ロール１０５は、外周面が連続記録媒体Ｐの非画像面２Ｂに接触することで、連続記録媒体Ｐを支持している。そして、支持ロール１０５は、支持ロール１０４から上方側へ搬送される連続記録媒体Ｐを水平方向（図４の右側）に巻取ロール５３に向けて方向転換させる。
【０１１６】
なお、支持ロール１０３、１０４、１０５は、連続記録媒体Ｐの移動に従動して回転する構成とされている。
【０１１７】
＜画像形成動作＞
次に、画像形成装置１０による連続記録媒体Ｐへの画像形成動作を説明する。
【０１１８】
本実施形態では、まず、例えば、画像形成装置１０の使用者の手作業により、連続記録媒体Ｐが画像形成装置１０の搬送経路に予め配置される。連続記録媒体Ｐは、例えば、巻出ロール５１より巻き出されて、巻出ロール５１から搬送経路に沿って巻取ロール５３まで配置される。
【０１１９】
図１に示す画像形成装置１０では、画像形成指令を受けた制御部１００は、各トナー像形成部２０などを作動させる。図２等に示されるように、各色の感光体ドラム２１は、回転されながら帯電器２２によって帯電される。また、制御部１００は、画像信号処理部で画像処理が施された画像データを、各露光装置２３に送る。各露光装置２３は、画像データに応じて各露光光Ｌを出射して、帯電した各感光体ドラム２１に露光する。これにより、各感光体ドラム２１の外周面に静電潜像が形成される。各感光体ドラム２１に形成された静電潜像は、現像装置２４によって現像され、各色の感光体ドラム２１には、イエロー（Ｙ）、マゼンタ（Ｍ）、シアン（Ｃ）、ブラック（Ｋ）のトナー像が形成される。
【０１２０】
各色の感光体ドラム２１に形成された各色のトナー像は、各一次転写位置Ｔにおいて各色の一次転写ロール３３によって、周回する転写ベルト３１に順次一次転写される。これにより、転写ベルト３１には、４色分のトナー像が重畳されたトナー像が形成される。この重畳されたトナー像は、転写ベルト３１の周回によって二次転写位置ＮＴに搬送される。二次転写位置ＮＴにおいて、転写ベルト３１から重畳されたトナー像Ｇ（図４参照）が連続記録媒体Ｐに転写される。
【０１２１】
トナー像Ｇが二次転写された連続記録媒体Ｐは、定着装置６０に向けて搬送される。定着装置６０では、定着部６１において、最初に、第一加熱部６２が連続記録媒体Ｐの非画像面２Ｂ側から連続記録媒体Ｐ及びトナー像Ｇ（図４参照）を加熱する。次に、第一加熱部６２の搬送方向下流側で、加熱ロール６４と第一加熱部６２が、連続記録媒体Ｐを挟んで連続記録媒体Ｐ及びトナー像Ｇ（図４参照）を加圧すると共に加熱する。これにより、連続記録媒体Ｐに形成されたトナー像Ｇを連続記録媒体Ｐに定着させる。
【０１２２】
さらに、第二加熱部６３の下流側で連続記録媒体Ｐは、第一吸着部８２に向けて搬送される。第一吸着部８２では、連続記録媒体Ｐの非画像面２Ｂから冷却される。さらに、第一吸着部８２の搬送方向下流側で、連続記録媒体Ｐの画像面２Ａに第二吸着部８４が接触されることで、トナー像Ｇが冷却される。そして、第二吸着部８４に冷却された連続記録媒体Ｐは巻取ロール５３に巻き取られる。
【０１２３】
＜作用及び効果＞
本実施形態の作用及び効果について説明する。
【０１２４】
本実施形態では、前述のように、定着装置６０において、第二加熱部６３で連続記録媒体Ｐが加熱される前に、連続記録媒体Ｐの非画像面２Ｂから第一加熱部６２を接触させることで、連続記録媒体Ｐ及びトナー像Ｇが加熱される。
【０１２５】
ここで、第二加熱部６３で連続記録媒体Ｐが加熱される前に、連続記録媒体Ｐの非画像面２Ｂが加熱されない定着装置２００（図７参照）では、以下のように、ブリスターが発生する場合がある。
【０１２６】
図６には、連続記録媒体として用紙Ｐ１を用いた場合の定着前のトナー像Ｇの状態が示されている。図６に示されるように、定着前には、用紙Ｐ１上には、多数の略楕円状のトナーＴの粒子が様々な方向を向いた状態で載っている。
【０１２７】
図７には、定着装置２００により、用紙Ｐ１上のトナー像Ｇが加熱及び加圧される状態が示されている。図７に示されるように、定着装置２００では、用紙Ｐ１上のトナーＴを加熱する定着ロール２０２と、用紙Ｐ１を挟んで定着ロール２０２の反対側に配置される加圧部材２０４とが設けられている。定着装置２００では、定着ロール２０２と加圧部材２０４とのニップ部の上流側にトナー像Ｇをプレ加熱するための加熱部は設けられていない。用紙Ｐ１上のトナー像Ｇは、定着ロール２０２と加圧部材２０４とのニップ部で押されることで、多数の略楕円状のトナーＴの向きが揃い（トナーＴが整頓され）、この状態でトナーＴが加熱及び加圧される。
【０１２８】
図８には、用紙Ｐ１上にトナー像Ｇが定着された状態が示されている。図８に示されるように、用紙Ｐ１上のトナーＴ（図７８参照）が加圧状態で溶融することで、用紙Ｐ１上にトナー像Ｇが定着される。このとき、トナー像Ｇ中の空気は、矢印に示すように用紙Ｐ１の中（用紙Ｐ１の繊維の間）に逃げていく。
【０１２９】
図９には、連続記録媒体として樹脂フィルムＰ２を用いた場合の定着時のトナー像Ｇの状態が示されている。樹脂フィルムＰ２は、例えば、ポリエチレンテレフタレート（ＰＥＴ）又はポリプロピレン（ＰＰ）などで形成されている。図９に示されるように、樹脂フィルムＰ２上のトナー像Ｇが定着ロール２０２と加圧部材２０４とのニップ部で加熱及び加圧されると、樹脂フィルムＰ２の透気性が低いため、トナー像Ｇの中の空気Ａ１が樹脂フィルムＰ２中に逃げていくことができない。このため、溶融したトナー像Ｇの中に空気Ａ１が多数閉じ込められる。
【０１３０】
図１０には、樹脂フィルムＰ２上のトナー像Ｇの定着後の状態が示されている。図１０に示されるように、樹脂フィルムＰ２上のトナー像Ｇは、定着ロール２０２（図９参照）と加圧部材２０４（図９参照）とのニップ部を出て圧力が開放されると同時に空気Ａ１（図９参照）がトナー像Ｇから飛び出す。これにより、トナー像Ｇの表面にクレータのような複数の穴２１０、すなわちブリスターが発生する。
【０１３１】
これに対し、本実施形態の定着装置６０では、第二加熱部６３で連続記録媒体Ｐが加熱される前に、第一加熱部６２が連続記録媒体Ｐの非画像面２Ｂから非加圧状態で加熱することで、連続記録媒体Ｐ上のトナー像Ｇのうち、連続記録媒体Ｐに近い側からトナーが溶ける。このため、連続記録媒体Ｐの未定着のトナー像Ｇ内の空気がトナー像Ｇの表面側から逃げやすくなる。これにより、定着装置６０では、連続記録媒体Ｐとして樹脂フィルムを用いた場合でも、定着装置２００に比べ、ブリスターの発生が抑制される。
【０１３２】
このように、連続記録媒体Ｐのトナー像がない非画像面２Ｂを加熱する構成では、ブリスターを抑制できる反面、連続記録媒体Ｐが軟化点に達しやすい。このため、連続記録媒体Ｐが軟化しやすく、連続記録媒体Ｐが伸長したり、収縮したりしやすい、すなわち、連続記録媒体Ｐの伸縮が生じやすい。さらに、本実施形態では、連続記録媒体Ｐは、搬送方向に沿って張力が付与されているため、連続記録媒体Ｐは、搬送方向へ伸長しやすい。なお、連続記録媒体Ｐが普通紙などである場合でも、加熱により伸縮が生じる場合がある。
【０１３３】
ここで、本実施形態の定着装置６０では、第一吸着部８２は、電圧の印加により帯電して、転写部３５での画像の転写によって帯電された連続記録媒体Ｐを静電力によりを吸着する。具体的には、第一吸着部８２は、定着部６１に対する搬送方向の直下流で、連続記録媒体Ｐを静電力により自らに吸着させる。これにより、連続記録媒体Ｐは、第一吸着部８２で拘束され、第一吸着部８２に吸着された状態に形状が維持される。このため、定着部６１に対する搬送方向の直下流に配置された部材に連続記録媒体Ｐが吸着されずに接触する構成に比べ、定着部６１において加熱された連続記録媒体Ｐの伸縮が抑制される。特に、本実施形態では、連続記録媒体Ｐは、搬送方向に沿って張力が付与されているが、定着部６１において加熱された連続記録媒体Ｐの搬送方向への伸長が抑制される。
【０１３４】
このように、本実施形態では、第一吸着部８２は、電圧の印加により帯電させるので、第一吸着部８２を連続記録媒体Ｐとの摩擦により帯電させなくても、連続記録媒体Ｐを第一吸着部８２に静電力で吸着させられる。
【０１３５】
また、本実施形態では、静電力を利用して、第一吸着部８２に連続記録媒体Ｐを吸着させる。ここで、負圧を利用して吸引吸着する構成では、吸着面に形成した複数の孔から吸気して連続記録媒体Ｐを吸着面に吸着する必要がある。このため、吸着面に吸着された連続記録媒体Ｐにおいて、吸着面に接触する部分と孔に対向する部分とで冷却ムラが生じる。この結果、連続記録媒体Ｐに光沢ムラが発生する場合がある。これに対して、静電力を利用して、第一吸着部８２に連続記録媒体Ｐを吸着させるので、負圧を利用して吸引吸着する構成に比べ、連続記録媒体Ｐに対する冷却ムラが生じにくい。
【０１３６】
また、本実施形態では、第一吸着部８２は、連続記録媒体Ｐの非画像面２Ｂを自らに吸着させるため、第一吸着部８２が連続記録媒体Ｐの画像面２Ａを自らに吸着させる構成に比べ、画像よりも連続記録媒体Ｐを先に冷却される。これにより、連続記録媒体Ｐの画像面２Ａを吸着させる構成に比べ、連続記録媒体Ｐの温度を軟化点よりも低い温度まで短時間で低下させられる。この結果、連続記録媒体Ｐの伸縮が抑制される。
【０１３７】
また、本実施形態では、第一吸着部８２は、転写部３５において印加される転写電圧の電圧値よりも絶対値が小さい電圧値の電圧が、印加部８３によって印加される。ここで、転写電圧の電圧値以上の絶対値を有する電圧値の電圧が印加される構成（第一構成）では、連続記録媒体Ｐと第一吸着部８２との微小な隙間８９で放電が発生する場合がある。隙間８９で放電が発生すると、正極性に帯電していた非画像面２Ｂの極性が反転し、連続記録媒体Ｐが第一吸着部８２に吸着されない場合がある。
【０１３８】
これに対して、本実施形態では、転写電圧の電圧値よりも絶対値が小さい電圧値の電圧が第一吸着部８２に印加されるので、第一構成に比べ、隙間８９での放電が発生しにくい。このため、連続記録媒体Ｐの第一吸着部８２への吸着不良が抑制される。
【０１３９】
また、本実施形態では、第一吸着部８２は、連続記録媒体Ｐを冷却する冷却機構８１を有している。このため、第一吸着部８２が連続記録媒体Ｐを自然冷却する構成に比べ、連続記録媒体Ｐが短時間で冷却される。
【０１４０】
第二吸着部８４は、第一吸着部８２に対する搬送方向の直下流で、連続記録媒体Ｐにおける第一吸着部８２への吸着面とは反対側の面（画像面２Ａ）を静電力により自らに吸着させる。これにより、連続記録媒体Ｐは、第二吸着部８４で拘束され、第二吸着部８４に吸着された状態に形状が維持される。このため、連続記録媒体Ｐが第一吸着部８２のみに吸着される構成に比べ、定着部６１において加熱された連続記録媒体Ｐの伸縮が抑制される。
【０１４１】
また、本実施形態では、第一吸着部８２と第二吸着部８４とは、互いに逆極性に帯電する。このため、画像面２Ａと非画像面２Ｂ（表面と裏面）とで極性が違う連続記録媒体Ｐを第一吸着部８２と第二吸着部８４とに吸着させられる。
【０１４２】
また、本実施形態では、第二吸着部８４は、連続記録媒体Ｐを冷却する冷却機構８７を有している。このため、第二吸着部８４が連続記録媒体Ｐを自然冷却する構成に比べ、連続記録媒体Ｐが短時間で冷却される。
【０１４３】
＜変形例＞
本実施形態では、第一吸着部８２は、電圧が印加される構成とされ、これにより、第一吸着部８２が帯電して連続記録媒体Ｐを静電力で吸着していたが、これに限らない。例えば、第一吸着部８２は、抵抗体を介して接地されている構成とされていてもよい。この構成では、第一吸着部８２が、連続記録媒体Ｐとの摩擦（転がり摩擦）により摩擦帯電した場合に、抵抗体を介さずに接地した構成に比べ、電荷が逃げにくくなるため、連続記録媒体Ｐが静電力により第一吸着部８２に吸着される。なお、抵抗体としては、１００ＭΩ以上の高抵抗体を用いるのが好ましい。
【０１４４】
さらに、第一吸着部８２は、搬送される連続記録媒体Ｐに対して速度差を有して回転駆動する構成とされていてもよい。具体的には、第一吸着部８２は、例えば、連続記録媒体Ｐの搬送速度より、周速度が若干速くなるように、矢印Ｅ方向に回転する構成とされる。なお、第一吸着部８２は、例えば、連続記録媒体Ｐの搬送速度より、周速度が若干遅くなるように、矢印Ｅ方向に回転する構成であってもよい。この構成により、第一吸着部８２が、連続記録媒体Ｐとの摩擦（すべり摩擦）により摩擦帯電して、連続記録媒体Ｐが静電力により第一吸着部８２に吸着される。
【０１４５】
換言すれば、第一吸着部８２は、連続記録媒体Ｐ体との摩擦により帯電する構成であってもよい。この構成では、第一吸着部８２に電圧を印加せずに、連続記録媒体Ｐが静電力で吸着される。すなわち、この構成では、第一吸着部８２に電圧を印加しなくても、連続記録媒体Ｐを第一吸着部８２に静電力で吸着させられる。
【０１４６】
また、本実施形態では、第一吸着部８２及び第二吸着部８４は、冷却機構８１、８７を有していたが、これに限られない。例えば、第一吸着部８２及び第二吸着部８４は、冷却機構を有せず、連続記録媒体Ｐを自然冷却する構成であってもよい。この構成では、第一吸着部８２及び第二吸着部８４は、常温とされている。すなわち、第一吸着部８２及び第二吸着部８４は、第一加熱部６２及び第二加熱部６３で加熱された連続記録媒体Ｐの温度（定着温度）よりも低温とされている。
【０１４７】
また、本実施形態では、定着装置６０は、第一吸着部８２及び第二吸着部８４を有していたが、第一吸着部８２及び第二吸着部８４の一方のみを有する構成であってもよい。なお、定着装置６０が第二吸着部８４のみを有する構成では、第二吸着部８４は、定着部に対する搬送方向の直下流で、連続記録媒体を静電力により自らに吸着させる吸着部の一例である。
【０１４８】
本実施形態では、第二加熱部６３で連続記録媒体Ｐが加熱される前に、連続記録媒体Ｐの非画像面２Ｂから第一加熱部６２を接触させることで連続記録媒体Ｐ及びトナー像Ｇが加熱される構成であったが、これに限られない。例えば、第二加熱部６３で連続記録媒体Ｐが加熱される前に、連続記録媒体Ｐの非画像面２Ｂが加熱されない構成であってもよい。
【０１４９】
本実施形態では、第一吸着部８２及び第二吸着部８４は、連続記録媒体Ｐの移動に従動して回転する吸着ロールで構成されていたが、これに限られない。第一吸着部８２及び第二吸着部８４は、固定された吸着ロールやパッドであってもよい。
【０１５０】
本実施形態では、転写部３５のみによって、連続記録媒体Ｐが帯電されていたが、これに限られない。図１１に示されるように、例えば、転写部３５とは別に、連続記録媒体Ｐを帯電させる専用の帯電装置９０を設けてもよい。転写部３５のみによって連続記録媒体Ｐが帯電される構成では、トナー像の転写性を考慮して転写部３５での転写電圧が変更されると、連続記録媒体Ｐの帯電性が変動するが、専用の帯電装置９０を設けた場合では、転写部３５での転写電圧の変更に応じて、帯電装置９０での電圧を変更することで、連続記録媒体Ｐの帯電性の変動が抑制される。
【０１５１】
本発明は、上記の実施形態に限るものではなく、その主旨を逸脱しない範囲内において種々の変形、変更、改良が可能である。例えば、上記に示した変形例は、適宜、複数を組み合わせて構成してもよい。
【符号の説明】
【０１５２】
２Ａ   画像面
２Ｂ   非画像面
１０   画像形成装置
３５   転写部
５０   搬送部
６０   定着装置
６１   定着部
８１   冷却機構
８２   第一吸着部（吸着部の一例、第一吸着部の一例）
８４   第二吸着部（第二吸着部の一例）
８７   冷却機構
Ｐ     連続記録媒体
【図１】
2019200255.tif 000003
【図２】
2019200255.tif 000004
【図３】
2019200255.tif 000005
【図４】
2019200255.tif 000006
【図５】
2019200255.tif 000007
【図６】
2019200255.tif 000008
【図７】
2019200255.tif 000009
【図８】
2019200255.tif 000010
【図９】
2019200255.tif 000011
【図１０】
2019200255.tif 000012
【図１１】
2019200255.tif 000013